【手続補正書】
【提出日】平成16年11月18日(2004.11.18)
【手続補正１】
【補正対象書類名】明細書
【補正対象項目名】特許請求の範囲
【補正方法】変更
【補正の内容】
【特許請求の範囲】
【請求項１】
人の目の色覚を改善または修正するカラーフィルタのスペクトル透過機能を設計する方法であって、
達成すべき所望の反対信号関数（ＯＰ１またはＯＰ２）を、改善または修正すべき色覚を有する目の実際の反対信号関数特性（ＯＰ１’またはＯＰ２’）で除し、結果として得られる関数の負の範囲をゼロで置き換え、関数全体を正規化することによってスペクトル透過関数を得る、前記方法。
【請求項２】
人の目の色覚を改善または修正するカラーフィルタのスペクトル透過機能を設計する方法であって、
達成すべき所望の反対信号関数（ＯＰ１またはＯＰ２）を、改善または修正すべき色覚を有する目の実際の反対信号関数特性（ＯＰ１’またはＯＰ２’）で除し、結果として得られる関数の負の範囲をゼロで置き換え、関数全体を正規化することによってスペクトル透過関数を得ると共に、
前記スペクトル透過関数と、改善または修正すべき色覚を有する目のｌ、ｍおよびｓ受容体の実際のスペクトル感度関数とから修正反対信号関数（ＯＰ１＊またはＯＰ２＊）を生成し、前記修正反対信号関数（ＯＰ１＊またはＯＰ２＊）と達成すべき前記所望反対信号関数（ＯＰ１またはＯＰ２）とを、１回または複数回繰り返して比較することによって、前記スペクトル透過関数の１つまたは複数の区間を、１つまたは複数の波長範囲で修正する、前記方法。
【請求項３】
カラーフィルタを設ける光学手段の最大光透過率に対して、正規化を実施する、請求項１または２に記載の方法。
【請求項４】
正常な色覚を有する目のＯＰ１特性を、達成すべき反対信号関数として使用し、色弱者のｌおよびｍ受容体の実際のスペクトル感度関数の差として生成したＯＰ１’を、実際の反対信号関数として使用する、赤／緑色覚不全を有する色弱者の色覚を補正するカラーフィルタのスペクトル透過関数を設計するための、請求項１〜３のいずれかに記載の方法。
【請求項５】
正常色覚を有する目のＯＰ２特性を、達成すべき反対信号関数として使用し、色弱者のｌ、ｍおよびｓ受容体の実際のスペクトル感度関数の差（ｓ−（ｌ＋ｍ））として生成するＯＰ２’を、実際の反対信号関数として使用する、第三色弱を有する色弱者の色覚を補正するカラーフィルタのスペクトル透過関数を設計するための、請求項１〜３のいずれかに記載の方法。
【請求項６】
正常色覚の反対信号関数特性を、実際の反対信号関数として使用し、正常色覚の反対信号関数特性からの意図的な修正によって得られる反対信号関数を、達成すべき反対信号関数として使用する、非色弱者の色覚を意図的に修正するカラーフィルタのスペクトル透過関数を設計するための、請求項１〜３のいずれかに記載の方法。
【請求項７】
第一色弱を有する色弱者の色覚をさらに改善するために、ＯＰ１をＯＰ１’で除し、結果として得られる関数の負の範囲をゼロで置き換え、次いで得られた関数を正規化することによって得られるスペクトル透過関数を、
波長範囲４００〜５４０ｎｍ内に入る区間で関数の高さ、および／または５４０ｎｍ側のエンドポイント位置を変更し、
波長範囲５４０〜５６０ｎｍ内に入る区間で関数の高さ、および／または一方または両方のエンドポイント位置を変更し、
波長範囲５６０〜５８０ｎｍ内に入る区間で一方または両方のエンドポイント位置を変更し、
５８０〜７００ｎｍの波長範囲に入る区間で関数の勾配を変更することによって修正する、請求項４に記載の方法。
【請求項８】
軽度から中程度の第二色弱を有する色弱者の色覚をさらに改善するために、ＯＰ１をＯＰ１’で除し、結果として得られる関数の負の範囲をゼロで置き換え、次いで得られた関数を正規化することによって得られるスペクトル透過関数を、
４５０〜５６０ｎｍの波長範囲に入る区間で関数の勾配を変更し、
５６０〜５８０ｎｍの波長範囲に入る区間で一方または両方のエンドポイント位置を変更し、
波長範囲５８０〜６００ｎｍに入る区間で関数の高さ、および／または一方または両方のエンドポイント位置を変更し、
６００〜７００ｎｍの波長範囲に入る区間で関数の高さを変更することによって修正する、請求項４に記載の方法。
【請求項９】
重度の第二色弱を有する色弱者の色覚をさらに改善するために、ＯＰ１をＯＰ１’で除し、結果として得られる関数の負の範囲をゼロで置き換え、次いで得られた関数を正規化することによって得られるスペクトル透過関数を、
４００〜５４０ｎｍの波長範囲に入る区間で関数の高さを変更し、
５４０〜５６０ｎｍの波長範囲に入る区間で関数の高さ、および／または一方または両方のエンドポイント位置を変更し、
５６０〜５８０ｎｍの波長範囲に入る区間で一方または両方のエンドポイント位置を変更し、
波長範囲５８０〜６００ｎｍに入る区間で関数の高さ、および／または一方または両方のエンドポイント位置を変更し、
６００〜７００ｎｍの波長範囲に入る区間で関数の高さを変更することによって修正する、請求項４に記載の方法。
【請求項１０】
第三色弱を有する色弱者の色覚をさらに改善するために、ＯＰ２をＯＰ２’で除し、結果として得られる関数の負の範囲をゼロで置き換え、次いで得られた関数を正規化することによって得られるスペクトル透過関数を、
４５０〜５４０ｎｍの波長範囲に入る区間で関数の勾配を変更し、かつ／または、
５４０〜７００ｎｍの波長範囲に入る区間で関数の高さを変更することによって修正する、請求項５に記載の方法。
【請求項１１】
請求項１〜１０のいずれかに記載の方法によって設計されるスペクトル透過関数を備えるカラーフィルタを含む、人の目の色覚を補正または修正するためのカラーフィルタを備える光学手段。
【請求項１２】
第一色弱を有する色弱者の色覚を補正するための光学手段であって、
（ａ）５８０〜７００ｎｍの波長範囲に入る区間で、勾配が０〜７．５×１０−３ｎｍ−１の単調に変化する小区間、および／または
（ｂ）５６０〜５８０ｎｍの波長範囲に入る区間で、０〜２０％の光透過を有する小区間、および／または
（ｃ）４００〜５４０ｎｍの波長範囲に入る区間で、ほぼ一定の光透過を有する小区間、および／または
（ｄ）５４０〜５６０ｎｍの波長範囲に入る区間で、ほぼ一定の光透過を有する前記小区間のよりも、光透過が大きい小区間を有する、スペクトル透過関数を備えるカラーフィルタを含む、請求項１１に記載の前記光学手段。
【請求項１３】
第二色弱を有する色弱者の色覚を補正するための光学手段であって、
（ａ）４５０〜５６０ｎｍの波長範囲に入る区間で、勾配が−１０−２〜０ｎｍ−１である単調に変化する小区間、および／または
（ｂ）５６０〜５８０ｎｍの波長範囲に入る区間で、０〜２０％の光透過を有する小区間、および／または
（ｃ）６００〜７００ｎｍの波長範囲に入る区間で、ほぼ一定の光透過を有する小区間、および／または
（ｄ）５８０〜６００ｎｍの波長範囲に入る区間で、ほぼ一定の光透過を有する前述の小区間のそれよりも、光透過が大きい小区間を有する、スペクトル透過関数を備えるカラーフィルタを含む、請求項１１に記載の光学手段。
【請求項１４】
第二色弱を有する色弱者の色覚を補正するための光学手段であって、
（ａ）４５０〜５６０ｎｍの波長範囲に入る区間で、勾配が−１０−２〜０ｎｍ−１である単調に変化する小区間、および／または
（ｂ）５６０〜５８０ｎｍの波長範囲に入る区間で、０〜２０％の光透過を有する小区間、および／または
（ｃ）６００〜７００ｎｍの波長範囲に入る区間および４００〜５４０ｎｍの波長範囲に入る区間で、ほぼ一定の光透過を有する小区間、および／または
（ｄ）５８０〜６００ｎｍの波長範囲に入る区間で、ほぼ一定の光透過を有する前述の小区間のそれよりも、光透過が大きい小区間を有する、スペクトル透過関数を備えるカラーフィルタを含む、請求項１１に記載の光学手段。
【請求項１５】
第二色弱を有する色弱者の色覚を補正するための光学手段であって、
（ａ）４５０〜５６０ｎｍの波長範囲に入る区間で、勾配が−１０−２〜０ｎｍ−１である単調に変化する小区間、および／または
（ｂ）５６０〜５８０ｎｍの波長範囲に入る区間で、０〜２０％の光透過を有する小区間、および／または
（ｃ）６００〜７００ｎｍの波長範囲に入る区間で、ほぼ一定の光透過を有する小区間、および／または
（ｄ）５８０〜６００ｎｍの波長範囲に入る区間および５４０〜５６０ｎｍの波長範囲に入る区間で、ほぼ一定の光透過を有する前述の小区間のそれよりも、光透過が大きい小区間を有する、スペクトル透過関数を備えるカラーフィルタを含む、請求項１１に記載の光学手段。
【請求項１６】
第二色弱を有する色弱者の色覚を補正するための光学手段であって、
（ａ）４５０〜５６０ｎｍの波長範囲に入る区間で、勾配が−１０−２〜０ｎｍ−１である単調に変化する小区間、および／または
（ｂ）５６０〜５８０ｎｍの波長範囲に入る区間で、０〜２０％の光透過を有する小区間、および／または
（ｃ）６００〜７００ｎｍの波長範囲に入る区間および４００〜５４０ｎｍの波長範囲に入る区間で、ほぼ一定の光透過を有する小区間、および／または
（ｄ）５８０〜６００ｎｍの波長範囲に入る区間および５４０〜５６０ｎｍの波長範囲に入る区間で、ほぼ一定の光透過を有する前述の小区間のそれよりも、光透過が大きい小区間を有する、スペクトル透過関数を備えるカラーフィルタを含む、請求項１１に記載の光学手段。
【請求項１７】
眼鏡フレーム中または計器窓中に配置するレンズ、コンタクトレンズまたは眼内レンズであり、すべてがそれぞれの表面上にカラーフィルタを有する、請求項１１〜１６のいずれかに記載の光学手段。
【請求項１８】
眼鏡フレーム中または計器窓中に配置するレンズ、コンタクトレンズまたは眼内レンズであり、すべてが染料入りである、請求項１１〜１６のいずれかに記載の光学手段。
【請求項１９】
眼鏡フレーム中または計器窓中に配置するレンズ、コンタクトレンズまたは眼内レンズであり、すべてが染料入りであり、一表面上にカラーフィルタを有する、請求項１１〜１６のいずれかに記載の光学手段。
【請求項２０】
眼鏡フレーム中または計器窓中に配置するレンズ、コンタクトレンズまたは眼内レンズであり、そのすべてが、その内表面に第１のカラーフィルタ（２）を備える第１のレンズ（１）と、その外表面に第２のカラーフィルタ（４）を備える第２のレンズ（５）と、前記第１のカラーフィルタ（２）と前記第２のカラーフィルタ（４）を相互連結する光学接着層（３）とを備え、前記第１のカラーフィルタ（２）と前記第２のカラーフィルタ（４）とのスペクトル透過関数の合成が、請求項１〜１０のいずれかの方法で設計されるスペクトル透過関数に対応する、請求項１１〜１６のいずれかに記載の光学手段。
【手続補正２】
【補正対象書類名】明細書
【補正対象項目名】００２３
【補正方法】変更
【補正の内容】
【００２３】
第一色弱：
区間（１）  高さ
区間（２）  高さ、５４０ｎｍでのエンドポイントの位置
区間（３）  高さ、両エンドポイントの位置
区間（４）  両エンドポイントの位置
区間（５）〜（６）  勾配
このようなパラメータを変更することによって得られるスペクトル透過関数を図５ａに示す。
軽度から中程度の第二色弱：
区間（２）〜（３）  勾配
区間（４）  両エンドポイントの位置
区間（５）  高さ、両エンドポイントの位置
区間（６）  高さ